(57)【要約】【課題】立体ラック等の骨組部材が振動しても、それに直接影響されることなく壁パネルを単独で動けるようにして、取付け部の破壊やパネル自身の破損を極力防止できるようにする。【解決手段】冷凍冷蔵庫内に設置した立体ラック１の鉄骨フレーム２に水平状に凹型形状の胴縁４を固定する一方、パネル取付用支柱５側に胴縁４の上向き空間４ａ内に係合するフック状の支持部材８が固定されており、このフック状支持部材８を胴縁４の上向き空間４ａに、両者間にクリアランス９が形成される状態に係合させてパネル取付用支柱５及びこれに取付けた断熱パネル６を立体ラック１に対して単独に動けるように建込み支持させている。【選択図】      図２
2004162284.tif 000002
【特許請求の範囲】
【請求項１】
構造体を構成する骨組部材の側部に設置されたパネル取付用支柱を上記骨組部材に支持させ、このパネル取付用支柱に複数枚の壁パネルを隣接壁パネル端面間の目地部が上記パネル取付用支柱の前面に形成されるように取付けてなる壁パネルの取付構造であって、
上記骨組部材には上向きもしくは下向きに開放する凹型形状の胴縁が水平状に固定されている一方、
上記パネル取付用支柱には上記胴縁の上向きもしくは下向き空間内に係合する支持部材が固定されており、
上記支持部材と胴縁との係合部にはクリアランスが形成されていることを特徴とする壁パネルの取付構造。
【請求項２】
対象とする構造体が、内部に立体ラックを設置した冷凍冷蔵庫の建屋躯体であり、壁パネルが断熱パネルである請求項１に記載の壁パネルの取付構造。
【請求項３】
対象とする構造体が、冷凍冷蔵庫の内部に設置した立体ラックであるとともに、上記骨組部材が立体ラックを構成する鉄骨フレームであり、また、壁パネルが冷凍冷蔵庫内の外周用及び／又は間仕切り用断熱パネルである請求項１に記載の壁パネルの取付構造。
【請求項４】
上記目地部が、壁パネルの内外両面において隣接パネル間に亘り配置された目地板をパネル取付用支柱に固定連結することで両目地板間に形成される隙間に発泡性樹脂を注入充填して形成されたものである請求項１ないし３のいずれかに記載の壁パネル取付構造。
【発明の詳細な説明】
【０００１】
【発明の属する技術分野】
本発明は、主として冷凍食品の収納保管のために建屋内部に立体ラックを設置している大型の冷凍冷蔵庫内に断熱パネルを建込み施工する場合に適用される壁パネル取付構造に関するものである。
【０００２】
【従来の技術】
例えば、冷凍冷蔵庫等の建屋の内部に断熱パネル等の壁パネルを水平方向に並べて順次建込む、いわゆる横貼り施工にあたっては、建物躯体等の構造体を構成する骨組部材の内側または外側に下地となるパネル取付用支柱を設置し、このパネル取付用支柱を骨組部材に固定支持させるとともに、該パネル取付用支柱に複数枚の壁パネルを隣接壁パネル端面間の目地部がパネル取付用支柱の前面に形成されるように取付けて施工される。
【０００３】
上記のごとく施工される壁パネル取付構造において、従来一般には、各壁パネルをボルト、ナット等の締付け金具を介してパネル取付用支柱に固定接合する手段が採用されていた（例えば特許文献１参照）。
【０００４】
【特許文献１】
特開平１０−０８８６８４号公報（第２頁、図２、図３）
【０００５】
【発明が解決しようとする課題】
上記のような構成の従来の壁パネル取付構造では、構造体の骨組部材を介して下地となるパネル取付用支柱が振動すると、壁パネルも振動し、それらの振動周波数が異なることから接合部に応力が集中作用しやすい。そのような応力集中作用が繰り返されることで接合部に弛みが発生して壁パネルの振動が一層激しくなって、壁パネル自体の破損、さらには接合部の破壊を招く恐れがあった。特に、冷凍冷蔵庫内に施工された断熱パネルである場合は、急速冷凍冷蔵時の熱応力が接合部に集中的に働いてパネルにその端部からクラックが入る等して破損しやすく、その結果、所定の断熱性能が短期間のうちに損なわれてしまうという問題があった。
【０００６】
本発明は上記実情に鑑みてなされたもので、骨組部材が振動しても、それに直接影響されることなく壁パネルを単独で自由に動けるようにして、取付け部の破壊やパネル自身の破損を極力防止することができる壁パネルの取付構造を提供することを目的としている。
【０００７】
【課題を解決するための手段】
上記目的を達成するために、本発明に係る壁パネルの取付構造は、構造体を構成する骨組部材の側部に設置されたパネル取付用支柱を上記骨組部材に支持させ、このパネル取付用支柱に複数枚の壁パネルを隣接壁パネル端面間の目地部が上記パネル取付用支柱の前面に形成されるように取付けてなる壁パネルの取付構造であって、上記骨組部材には上向きもしくは下向きに開放する凹型形状の胴縁が水平状に固定されている一方、上記パネル取付用支柱には上記胴縁の上向きもしくは下向き空間内に係合する支持部材が固定されており、上記支持部材と胴縁との係合部にはクリアランスが形成されていることを特徴とするものである。
【０００８】
上記構成の本発明によれば、壁パネルを取付けているパネル取付用支柱に固定した支持部材を、構造体の骨組部材に水平状に固定している凹型形状の胴縁に両者間にクリアランスのある状態で係合させることにより、壁パネルを構造体の骨組部材に対してフリーの状態、すなわち、骨組部材の振動が直接、パネル取付用支柱及び壁パネルに伝達されることなく、壁パネル側が単独で自由に動けるように建込むことが可能であり、したがって、構造体の振動の影響を受けて接合部が破壊されたり、壁パネル自体が破損されたりすることを極力防止し、初期の壁パネル施工状態を長期に亘って安定維持することができる。
【０００９】
特に、請求項２に記載のように、対象とする構造体が、内部に立体ラックを設置した冷凍冷蔵庫の建屋躯体であり、壁パネルが断熱パネルである場合や、請求項３に記載のように、対象とする構造体が、冷凍冷蔵庫の内部に設置した立体ラックであるとともに、上記骨組部材が立体ラックを構成する鉄骨フレームであり、また、壁パネルが冷凍冷蔵庫内の外周用及び／又は間仕切り用断熱パネルである場合に上記のような取付構造を採用することによって、急速冷凍冷蔵時に発生する熱応力を接合部のクリアランスで逃がして断熱パネルの端部にクラックが入る等のパネル破損原因、さらには隣接パネル端面間の目地部の破壊原因を解消し、パネル耐久性の向上及び庫内断熱性能の安定維持を図ることができる。
【００１０】
【発明の実施の形態】
以下、本発明の実施の形態を図面にもとづいて説明する。
図１〜図２は、立体ラック式冷凍冷蔵庫内部に外周断熱用あるいは間仕切り断熱用として建込み施工される断熱パネルの取付構造の適用例を示し、冷凍冷蔵庫内部には冷凍食品保管用の立体ラック１が設置されており、この立体ラック１を構成する鉄骨フレーム（骨組部材の一例）２の外側部には、立体ラック１の長手方向に適宜ピッチを隔てて配置したアングル等の支持鋼材３を介して溝形鋼など上向きに開放する凹型形状の胴縁４が水平状態に固定されている。
【００１１】
一方、上記立体ラック１の鉄骨フレーム２の外側位置で、立体ラック１の長手方向に適宜ピッチを隔てた複数箇所には、溝形鋼を背中合わせに接合した横断面Ｈ型形状のパネル取付用支柱５が垂直姿勢に立設されている。これらパネル取付用支柱５の一方のフランジ部５ａには複数枚の断熱パネル６が、隣接断熱パネル６，６の端面６ｅ，６ｅ間に形成される目地部７を上記パネル取付支柱５の一方のフランジ部５ａ前面に配置するように水平方向に並べて順次建込む、いわゆる横貼り形式で取付けられている。
【００１２】
また、上記パネル取付用支柱５の他方のフランジ部５ｂには、上記胴縁４の上向き空間４ａ内に係合するフック状の支持部材８が固定されており、このフック状支持部材８を上記胴縁４の上向き空間４ａ内に上方から係合させて両者８，４の係合部に上下方向及び水平方向のクリアランス９を形成させることにより、パネル取付用支柱５及び断熱パネル６を立体ラック１の鉄骨フレーム２に対してフリーの状態に建込み支持させている。
【００１３】
なお、上記目地部７は、断熱パネル６の内外両面において隣接断熱パネル６，６の端部間に亘り配置された目地板１０，１０をボルト・ナット１１を介してパネル取付用支柱５に固定連結するとともに、内外両目地板１０，１０間に形成される隙間にウレタン等の発泡性樹脂１２を注入充填して形成されている。
【００１４】
上記のような取付構造で断熱パネル６が庫内に横貼り形式に建込み施工された立体ラック式冷凍冷蔵庫においては、壁パネル６が立体ラック１の鉄骨フレーム２に対してクリアランス９相当分だけフリーの状態で支持されているため、立体ラック１が振動しても、その振動がパネル取付用支柱５及び断熱パネル６に直接に伝達されることがなく、断熱パネル６側が単独で自由に動けることになり、立体ラック１の振動の影響を受けて接合部が破壊されたり、断熱パネル６自体が破損されたりすることを極力防止することができる。また、庫内の急速冷凍冷蔵時に発生する熱応力を接合部のクリアランス９で逃がして断熱パネル６の端部にクラックが入る等のパネル破損原因、さらには隣接断熱パネル６，６の端面間の目地部７の破壊原因を解消し、断熱パネル６の耐久性向上及び庫内断熱性能の安定維持を図ることができる。
【００１５】
なお、上記実施の形態では、パネル取付用支柱５及び断熱パネル６をフリーの状態に建込み支持させる構造体及びそれを構成する骨組部材が、立体ラック１及び該立体ラック１を構成する鉄骨フレーム２である場合について説明したが、図３及び図４に示すように、パネル建込み支持用構造体が立体ラック式冷凍冷蔵庫の建屋躯体１’であり、かつ、骨組部材がその建屋躯体１’を構成するＨ型鋼等の鉄骨柱２’であってもよい。この図３及び図４に示す取付構造は、冷凍冷蔵庫内部の特に開口側における外周断熱用の断熱パネル６を建込み施工する場合に好適であり、胴縁４が鉄骨柱２’に固定され、それ以外の構成は図１及び図２に示すものと同一であるため、該当部材に同一の符号を付して、それらの詳しい説明を省略している。
【００１６】
また、上記各実施の形態では、鉄骨フレーム２または鉄骨柱２’に水平姿勢に固定される凹型形状の胴縁４を上向き開放状態で固定したものについて説明したが、該胴縁４を下向きに開放状態に固定し、この胴縁４の下向き空間４ａ内にパネル取付用支柱５に固定したフック状支持部材８を下方から係合させてフリー状態に建込み支持させてもよい。
【００１７】
さらに、本発明は、立体ラック式冷凍冷蔵庫内における断熱パネルの取付けに最も有効であるが、一般建築物内に間仕切り用あるいは遮音用等の壁パネルを施工する際の取付構造に採用してもよいこともちろんである。
【００１８】
【発明の効果】
以上のように、本発明によれば、構造体の骨組部材に対して壁パネル及びその取付用支柱を、骨組部材の振動が直接伝達されないで単独に動けるようにフリーの状態に建込み支持させることができるので、構造体の振動の影響で接合部が破壊されたり、壁パネル自体が変形あるいは破損されたりする不都合を極力防止することができ、壁パネルの初期施工状態を長期に亘って安定維持することができるという効果を奏する。
【００１９】
特に、請求項２や請求項３に記載のような立体ラック式冷凍冷蔵庫内における断熱パネルの取付構造に適用することによって、庫内の急速冷凍冷蔵時に発生する熱応力を逃がして断熱パネルの端部にクラックが入る等のパネル破損、さらには隣接パネル端面間の目地部の破壊を防ぎ、パネル耐久性の向上及び庫内断熱性能の長期安定維持を達成することができる。
【図面の簡単な説明】
【図１】本発明に係る壁パネルの取付構造を、立体ラック式冷凍冷蔵庫内部における外周断熱用あるいは間仕切り断熱用パネルの取付けに適用した例を示す要部の横断平面図である。
【図２】同上適用例の要部の縦断面図である。
【図３】本発明に係る壁パネルの取付構造を、立体ラック式冷凍冷蔵庫内部における外周断熱用パネルの取付けに適用した他の例を示す要部の横断平面図である。
【図４】同上適用例の要部の縦断面図である。
【符号の説明】
１  立体ラック（構造体の一例）
１’  冷凍冷蔵庫の建屋躯体（構造体の他の例）
２  鉄骨フレーム（骨組部材の一例）
２’鉄骨柱（骨組部材の他の例）
４  胴縁
４ａ  上向きまたは下向き空間
５  パネル取付用支柱
６  断熱パネル（壁パネルの一例）
６ｅ  パネル端面
７  目地部
８  フック状支持部材
９  クリアランス
１０  目地板
１２  発泡性樹脂
【図１】
2004162284.tif 000003
【図２】
2004162284.tif 000004
【図３】
2004162284.tif 000005
【図４】
2004162284.tif 000006